(57)【要約】【課題】時計を製造する製造過程で太陽電池を確実に保護することができ、製造後の使用状態で太陽電池を確実に固定することができる時計を提供すること。【解決手段】時計は、ムーブメント３と、ムーブメント３上に重ねて設置され、光を受光することにより電力を生成し、電力をムーブメント３に供給する太陽電池５と、太陽電池５の表側に重ねて設置され、光透過性を有するとともに、入射した光を拡散する光拡散機能を有し、太陽電池５をムーブメント３に対して固定する板状の固定部材７とを備えている。【選択図】図２
2011163876.tif 000002
【特許請求の範囲】
【請求項１】
少なくとも１本の指針を有し、該指針を回転駆動するムーブメントと、
前記ムーブメント上に重ねて設置され、光を受光することにより電力を生成し、該電力を前記ムーブメントに供給する太陽電池と、
前記太陽電池の表側に重ねて設置され、光透過性を有するとともに、入射した光を拡散する光拡散機能を有し、前記太陽電池を前記ムーブメントに対して固定する板状の固定部材とを備えることを特徴とする時計。
【請求項２】
前記固定部材は、その少なくとも一方の面に微小な凹凸が形成されており、該微小な凹凸により前記光拡散機能が発揮されるものである請求項１に記載の時計。
【請求項３】
前記指針が指し示す目盛りが付されたリング状の目盛り部材をさらに備える請求項１または２に記載の時計。
【請求項４】
前記目盛り部材は、その内周部に厚さが内側に向かって漸減したテーパ部を有し、該テーパ部に前記目盛りが付されたものである請求項３に記載の時計。
【請求項５】
前記ムーブメント、前記太陽電池、前記固定部材を収納するケースを備え、
前記ケースは、間隙を介して前記固定部材と対向配置された透明基板を有し、該透明基板を介して前記指針が視認されるものである請求項１ないし４のいずれかに記載の時計。
【請求項６】
前記指針が指し示す目盛りが付されたリング状の目盛り部材を備え、
前記目盛り部材は、前記間隙に配置されている請求項５に記載の時計。
【請求項７】
前記指針が指し示す目盛りが付されたリング状の目盛り部材を備え、
前記目盛り部材は、前記透明基板をその裏側から支持するものである請求項５または６に記載の時計。
【請求項８】
前記指針が指し示す目盛りが付されたリング状の目盛り部材を備え、
前記目盛り部材は、前記透明基板の外周側に該透明基板を囲むように配置されている請求項７に記載の時計。
【請求項９】
前記ムーブメントに対する前記固定部材と前記太陽電池との位置関係を規制する位置決め手段を備える請求項１ないし８のいずれかに記載の時計。
【発明の詳細な説明】
【技術分野】
【０００１】
本発明は、時計に関する。
【背景技術】
【０００２】
従来から、ムーブメント、板状の太陽電池および板状の文字板を有し、これらがこの順に重ねて配置された腕時計が知られている（例えば、特許文献１参照）。この特許文献１に記載の腕時計は、太陽電池が光を受光することにより、太陽電池で電力が生成され、その電力をムーブメントに供給して、指針が文字板上を回転駆動するよう構成されている。
この特許文献１に記載の腕時計には、太陽電池をムーブメントに対し固定するリング状の固定部材が配置されている。この固定部材は、ムーブメントとの間で太陽電池の縁部を挟持して、当該太陽電池を固定するよう構成されている。このように特許文献１に記載の腕時計では、太陽電池の縁部しか挟持されていないため、使用中に（経時的に）、太陽電池の縁部を除く中心部付近がムーブメントから浮いてしまうと言う問題があった。また、固定部材で太陽電池をムーブメントに対して固定した状態のものを、腕時計用ケースに収納するまでの過程で、リング状の固定部材から露出した太陽電池の受光面が損傷を受けたり、受光面にゴミなどが付着したりすると言う問題もあった。
【先行技術文献】
【特許文献】
【０００３】
【特許文献１】特開２００１−１３２６８号公報
【発明の概要】
【発明が解決しようとする課題】
【０００４】
本発明の目的は、時計を製造する製造過程で太陽電池を確実に保護することができ、製造後の使用状態で太陽電池を確実に固定することができる時計を提供することにある。
【課題を解決するための手段】
【０００５】
このような目的は、下記の本発明により達成される。
本発明の時計は、少なくとも１本の指針を有し、該指針を回転駆動するムーブメントと、
前記ムーブメント上に重ねて設置され、光を受光することにより電力を生成し、該電力を前記ムーブメントに供給する太陽電池と、
前記太陽電池の表側に重ねて設置され、光透過性を有するとともに、入射した光を拡散する光拡散機能を有し、前記太陽電池を前記ムーブメントに対して固定する板状の固定部材とを備えることを特徴とする。
これにより、時計を製造する製造過程で太陽電池を確実に保護することができ、製造後の使用状態で太陽電池を確実に固定することができる。
【０００６】
本発明の時計では、前記固定部材は、その少なくとも一方の面に微小な凹凸が形成されており、該微小な凹凸により前記光拡散機能が発揮されるものであることが好ましい。
これにより、固定部材が確実に光拡散機能を有するものとなり、固定部材の裏側にある太陽電池が固定部材を介して視認されるのを防止または抑制することができる。
本発明の時計では、前記指針が指し示す目盛りが付されたリング状の目盛り部材をさらに備えることが好ましい。
これにより、時刻を確実に確認することができる。
【０００７】
本発明の時計では、前記目盛り部材は、その内周部に厚さが内側に向かって漸減したテーパ部を有し、該テーパ部に前記目盛りが付されたものであることが好ましい。
これにより、目盛りを容易に視認することができる。
本発明の時計では、前記ムーブメント、前記太陽電池、前記固定部材を収納するケースを備え、
前記ケースは、間隙を介して前記固定部材と対向配置された透明基板を有し、該透明基板を介して前記指針が視認されるものであることが好ましい。
これにより、時刻を確認することができる。
【０００８】
本発明の時計では、前記指針が指し示す目盛りが付されたリング状の目盛り部材を備え、
前記目盛り部材は、前記間隙に配置されていることが好ましい。
これにより、薄型化、小型化された時計を得る。
本発明の時計では、前記指針が指し示す目盛りが付されたリング状の目盛り部材を備え、
前記目盛り部材は、前記透明基板をその裏側から支持するものであることが好ましい。
これにより、目盛り部材の配置位置が異なる時計を容易に製造することができ、よって、低コストでデザインバリエーションに富む時計を得る。
【０００９】
本発明の時計では、前記指針が指し示す目盛りが付されたリング状の目盛り部材を備え、
前記目盛り部材は、前記透明基板の外周側に該透明基板を囲むように配置されていることが好ましい。
これにより、目盛り部材の配置位置が異なる時計を容易に製造することができ、よって、低コストでデザインバリエーションに富む時計を得る。
本発明の時計では、前記ムーブメントに対する前記固定部材と前記太陽電池との位置関係を規制する位置決め手段を備えることが好ましい。
これにより、時計を使用している最中に、例えば振動等によって太陽電池がその面方向に位置ズレするのを確実に防止することができる。
【発明の効果】
【００１０】
本発明によれば、時計を製造する製造過程で太陽電池を確実に保護することができ、製造後の使用状態で太陽電池を確実に固定することができる。
【図面の簡単な説明】
【００１１】
【図１】本発明の時計を腕時計に適用した場合の第１実施形態を示す斜視図である。
【図２】図１に示す腕時計に内蔵されている主な部品の分解斜視図である。
【図３】図１に示す腕時計に内蔵されている主な部品の分解斜視図である。
【図４】図１に示す腕時計の部分断面図である。
【図５】図４中の一点鎖線で囲まれた領域［Ａ］の拡大詳細図である。
【図６】本発明の時計を腕時計に適用した場合（第２実施形態）の当該腕時計の部分断面図である。
【図７】本発明の時計を腕時計に適用した場合（第３実施形態）の当該腕時計の部分断面図である。
【発明を実施するための形態】
【００１２】
以下、本発明の時計を添付図面に示す好適な実施形態に基づいて詳細に説明する。
＜第１実施形態＞
図１は、本発明の時計を腕時計に適用した場合の第１実施形態を示す斜視図、図２および図３は、それぞれ、図１に示す腕時計に内蔵されている主な部品の分解斜視図、図４は、図１に示す腕時計の部分断面図、図５は、図４中の一点鎖線で囲まれた領域［Ａ］の拡大詳細図である。なお、以下では、説明の都合上、図１〜図５中（図６、図７についても同様）の上側を「上」、「上方」または「表側」、下側を「下」、「下方」または「裏側」と言う。
図１に示す腕時計（以下、単に「時計」という）１は、外装部（ケース）２と、外装部２の内部に収納され、時針、分針および秒針をそれぞれ構成する３本の時計用針（指針）３１を有するムーブメント３と、時計１を腕に装着する際に用いられるバンド４とを備えている。
【００１３】
図４に示すように、外装部２は、ガラス板（透明基板）２１と、ガラス板２１を保持するリング状の胴部２３と、胴部２３の裏側に設置される裏蓋２５とを有している。なお、図４では、時計用針３１が省略されている。
胴部２３には、巻真パイプ（図示せず）が嵌入され、この巻真パイプに、りゅうず２４が回転可能に設けられている。りゅうず２４を回転させることにより、そのトルクがムーブメント３に伝わる。これにより、各時計用針３１が回転駆動し、よって、表示する時刻を調整することができる。
【００１４】
また、図４に示すように、胴部２３の内周部には、その中心軸側に向かって突出した段差部２３１が形成されている。この段差部２３１上にガラス板２１が支持されている。なお、ガラス板２１は、胴部２３に対し液密に固定されており、その固定方法としては、特に限定されず、例えば、接着（接着剤や溶媒による接着）による方法、嵌合による方法等が挙げられる。
胴部２３および裏蓋２５の構成材料としては、特に限定されず、例えば、アルミニウムやステンレス鋼等のような各種金属材料、ポリエチレン、ポリプロピレン等のような各種プラスチック材料が挙げられる。
【００１５】
ガラス板２１は、可視光の透過度が例えば５０％以上程度の透明性を有するものである。時計１では、ガラス板２１を介して各時計用針３１を視認することができ、よって、時刻を確認することができる。
なお、「透明」には、無色透明の他、有色（着色）透明も含まれる。また、ガラス板２１の構成材料としては、特に限定されないが、例えば、ソーダ石灰ガラス、ホウケイ酸ガラス、ハードレックス（強化無機ガラス）、クリアレックス（無反射処理）、スピネルガラス、サファイアガラス等のような無機ガラスが挙げられる。
【００１６】
図４に示すように、このような外装部２内には、ムーブメント３が収納されている。
ムーブメント３は、扁平な形状をなし、平面視で全体として丸みを帯びた（丸型）ものである（図２参照）。ムーブメント３は、外装部２に対し固定されている。この固定方法としては、図５に示す構成ではムーブメント３と裏蓋２５との間に中枠２６を配置し、中枠２６の下面に形成される複数のバネ部２６１でムーブメント３を押上げる方法であるが、これに限定されず、例えば、嵌合、接着等による方法も用いることができる。または、中枠を省略してもよい。
【００１７】
このムーブメント３は、上方に向かって突出した軸部３３を有している。この軸部３３は、各時計用針３１を回転可能に支持するものである。また、ムーブメント３には、軸部３３を介して、各時計用針３１を回転駆動するための、いわゆる筒車や日の裏車等と呼ばれる複数の歯車３３１が噛み合って構成された駆動機構が内蔵されている。そして、この駆動機構は、後述する太陽電池５で得られた電力によって作動することができる。これにより、各時計用針３１がそれぞれ回転して、当該時計用針３１で現在の時刻を確認することができる。
【００１８】
また、図４に示すように、外装部２には、ムーブメント３の他に、太陽電池５、目盛り部材６、固定部材７も収納されている。ムーブメント３、太陽電池５、目盛り部材６、固定部材７を組み立てるには、これらをムーブメント３、太陽電池５、固定部材７、目盛り部材６の順に重ねていけばよい（図２参照）。そして、この組立状態のもの（以下「組立体１０」と言う）が外装部２に収納される。
【００１９】
ムーブメント３上には、円盤状をなす太陽電池５が重ねて設置されている。太陽電池５は、ムーブメント３と電気的に接続されており、光を受光することにより電力を生成し、電力をムーブメント３に供給することができる。太陽電池５としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の太陽電池５に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント３に供給することができる。なお、ｐｎ接合部付近は、空乏層となる。
【００２０】
なお、太陽電池５は、可撓性を有するフィルム状をなすものが好ましい。これにより、太陽電池５と固定部材７とが当接した状態（図４、図５参照）であっても、これらに干渉縞が生じるのを防止することができる。
図２に示すように、太陽電池５の中心部には、ムーブメント３の軸部３３が挿通する挿通孔５２が形成されている。
太陽電池５の表側には、円環状（リング状）をなす目盛り部材６が設置されている。この目盛り部材６は、複数の目盛り６１が付されたものである。各時計用針３１が目盛り６１を指し示すことにより、時刻を確認することができる。
【００２１】
図４に示すように、固定部材７とガラス板２１とは、間隙１１を介して対向配置され、この間隙１１に目盛り部材６が配置されている。また、間隙１１には、３本の時計用針３１も配置されており、これらを囲むように目盛り部材６が配置されることとなる。これにより、時計１は、「文字板レス」のものとなり、間隙１１に文字板を配置した場合に比べて、文字板の厚さ分だけ、時計全体としての厚さの増大を抑制することができる。これにより、薄型化、小型化された時計１を得る。
【００２２】
また、目盛り部材６の内周部には、その厚さが内側に向かって漸減したテーパ部６２を有している。このテーパ部６２は、目盛り部材６の表側の面６３の一部が内側に向かって傾斜した傾斜部と言うこともできる。そして、テーパ部６２に各目盛り６１が付されている。これにより、各目盛り６１がそれぞれ視認し易い位置に配されることとなり、よって、時刻確認を確実に行なうことができる。
【００２３】
この目盛り部材６は、平面視で、太陽電池５の外周部に重なって設置されている（図４参照）。換言すれば、目盛り部材６は、その開口の大きさが太陽電池５の大きさよりも小さいものである。図２に示す構成の太陽電池５の外周部には複数の凹凸（欠損部５５ａ、５５ｂ）が形成されているが、これらの凹凸は、目盛り部材６で確実に隠れることとなり、よって、時計１の審美性が向上する。
【００２４】
なお、時計１を製造する際、例えば色彩等が異なる複数の目盛り部材６を用意し、これらの目盛り部材６のなかから１つの目盛り部材６を適宜選択して時計１に組み込む（設置する）ことができる。これにより、時計１を製造するまでの一連の製造工程で、目盛り部材６が異なる複数種の時計１を容易に製造することができ、よって、低コストでデザインバリエーション（デザイン性）に富む時計１を得る。
また、目盛り部材６には、目盛り６１の他に、文字（数字を含む）、記号、図形等が付されていてもよい。
目盛り部材６の構成材料としては、特に限定されず、例えば、胴部２３や裏蓋２５を構成する構成材料と同じものを使用することができる。
【００２５】
図２、図４に示すように、太陽電池５と目盛り部材６との間には、円盤状をなす固定部材７が設置されている。この固定部材７は、太陽電池５をムーブメント３に対して固定するものである。
固定部材７は、太陽電池５の表側に重ねられる円盤状をなす本体部７３を有している。本体部７３は、その裏側の面７５が太陽電池５の表側の面（受光面）５３に当接しており、当該表側の面５３を覆っている。組立体１０を組み立てる組立工程から、その次の工程の、組立体１０を外装部２に収納する収納工程までの間、固定部材７の本体部７３により、太陽電池５の表側の面（受光面）５３を確実に保護することができ、よって、当該表側の面５３に損傷が生じたり、指紋が付着したりする等のような不具合を確実に防止することができる。
【００２６】
また、固定部材７の本体部７３の裏面側を太陽電池５の表側の面（受光面）５３に当接させて太陽電池５の中心部分を覆っていることにより、各歯車３３１（例えば、ムーブメント３の太陽電池５が積層される側から組み込まれている筒車）の断面方向の位置を規制することができ、よって、各歯車３３１同士の噛み合いが外れるのを確実に防止することができる。これにより、時計用針（指針）３１による時刻表示の進み、遅れ、止まりといった問題を生じさせないようにすることができる。
【００２７】
また、本体部７３のほとんどの部分は、光透過性を有して、すなわち、透明となっており、その構成材料としては、特に限定されず、例えば、各種ガラス材料、各種プラスチック材料が挙げられる。軽量、加工の容易性等の観点からプラスチック材料が好ましく、中でも、ポリカーボネートが好ましい。時計１では、固定部材７を透過した光が太陽電池５に到達して、これにより、前述したように電力が生じる。
【００２８】
さらに、本体部７３は、本体部７３に入射した光を拡散する光拡散機能を有している。これにより、例えば本体部７３の裏側にある太陽電池５で反射された光（反射光）が本体部７３に入射した際に拡散される。この拡散により、本体部７３の上面側から放出される反射光を低減させることができるため、太陽電池５が本体部７３を介して視認されるのを防止または抑制することができる。一般的に腕時計では、太陽電池を外部からできる限り視認されないようにするのが好ましいため、時計１のように太陽電池５に対する視認性が抑制された場合、時計１の審美性が向上する。
【００２９】
なお、固定部材７に光拡散機能を担持させる構成としては、本体部７３の表側の面７４および裏側の面７５のうちの一方の面または双方の面に微小な凹凸を形成する構成が挙げられる。図５に示すように、固定部材７の表側の面７４および裏側の面７５にそれぞれ微小な凹凸を形成した場合、固定部材７が確実に光拡散機能を発揮することの他に、固定部材７を太陽電池５に載置する際に、指先が固定部材７に触れも、各面にそれぞれ付着した指紋が目立つのが防止される。また、固定部材７に光拡散機能を担持させる構成としては、微小な凹凸を形成することの他に、例えば、固定部材７の表側の面７４および裏側の面７５のうちの少なくとも一方に、拡散剤を含む拡散層を形成する方法、偏光フィルムを設置する方法等が挙げられる。あるいは、固定部材７を成形する際に基材となる材料に拡散剤を添加させて成形する方法であってもよい。
【００３０】
なお、図３に示すように、時計１を製造する際、本体部７３の光拡散機能の程度および色彩のうちの少なくとも１つの条件が互いに異なる複数（図示の構成では３つ）の固定部材７Ａ、７Ｂ、７Ｃを用意し、これらの固定部材７Ａ〜７Ｃのなかから１つの固定部材７を適宜選択して時計１に組み込むことができる。これにより、時計１を製造するまでの一連の製造工程で、条件がそれぞれ異なる固定部材７を有する時計１を容易に製造することができ、よって、低コストでデザインバリエーションに富む時計１を得る。
【００３１】
従来から、文字板は、腕時計を構成する部品の中でも、比較的高価なものであるため、デザイン性を向上させようとして、複数種の文字板を用意すると、製造コストが増大していた。しかしながら、時計１では、文字板を省略して目盛り部材６でその代用をさせ、かつ、比較的安価に製造することができる、単なる光拡散板の固定部材７で、デザイン性を向上させているため、従来のような製造コストの増大を抑制することができる。
【００３２】
図２〜図４に示すように、固定部材７の中心部には、ムーブメント３の軸部３３が挿通する挿通孔７９が形成されている。
そして、ムーブメント３に固定される固定部７１ａ、７１ｂが、挿通孔７９を介して、対向して配置されている。固定部７１ａ、７１ｂは、それぞれ、下方に向かって突出形成されている。また、固定部７１ａ、７１ｂには、それぞれ、固定部材７の中心軸側に向かって突出した爪７１１が形成されている。
【００３３】
一方、ムーブメント３には、その外周部に固定部７１ａ、７１ｂの爪７１１がそれぞれ係合する一対の係合部３５が外側に向かって突出形成されている。これらの係合部３５は、ムーブメント３の中心軸を介して対向して配置されている。
ムーブメント３上に太陽電池５を載置した状態で、その上方から固定部材７を重ねると、当該固定部材７の固定部７１ａの爪７１１が一方の係合部３５に係合し、固定部７１ｂの爪７１１が他方の係合部３５に係合する（図２参照）。これにより、固定部材７を介して、太陽電池５がムーブメント３に対し固定された状態となる。そして、この固定状態では、固定部材７の本体部７３とムーブメント３との間で太陽電池５の全体が強固に挟持されることとなる。これにより、時計１の使用中に（経時的に）、特に太陽電池５の中心部付近がムーブメント３から浮いてしまうのを確実に防止することができる。
図２に示すように、固定部材７の裏側の面７５には、下方に向かって突出した円柱状のピン７６ａ、７６ｂが形成されている。ピン７６ａ、７６ｂは、それぞれ、固定部材７の周方向で固定部７１ａ、７１ｂと異なる位置に、すなわち、固定部７１ａ、７１ｂの間に配置されている。
【００３４】
一方、太陽電池５には、その外周部にピン７６ａ、７６ｂがそれぞれ当接する欠損部５５ａ、５５ｂが形成されている。
また、ムーブメント３には、その外周部にピン７６ａ、７６ｂがそれぞれ当接する凹部で構成された一対の挿入部３６が形成されている。
ムーブメント３の上面３２に太陽電池５を載置した状態で、その上方から固定部材７を重ねると、当該固定部材７のピン７６ａが太陽電池５の欠損部５５ａ、ムーブメント３の一方の挿入部３６に当接し、ピン７６ｂが太陽電池５の欠損部５５ａ、ムーブメント３の他方の挿入部３６に当接する。これにより、ムーブメント３に対する固定部材７と太陽電池５との面方向の位置関係が規制される。そして、この位置関係が規制されたまま、太陽電池５がムーブメント３に固定される。これにより、時計１を使用している最中に、例えば振動等によって太陽電池５がその面方向に位置ズレするのを確実に防止することができる。このように、時計１では、固定部材７のピン７６ａ、７６ｂと、太陽電池５の欠損部５５ａ、５５ｂと、ムーブメント３の各挿入部３６とが、ムーブメント３に対する固定部材７と太陽電池５との面方向の位置関係を規制する位置決め手段として機能している。
なお、固定部材７の構成材料としては、特に限定されず、例えば、ガラス板２１と同じ構成材料や、ポリエチレン、ポリプロピレン等のような各種樹脂材料を用いることができる。
【００３５】
＜第２実施形態＞
図６は、本発明の時計を腕時計に適用した場合（第２実施形態）の当該腕時計の部分断面図である。
以下、この図を参照して本発明の時計の第２実施形態について説明するが、前述した実施形態との相違点を中心に説明し、同様の事項はその説明を省略する。
本実施形態は、目盛り部材の配置位置が異なること以外は前記第１実施形態と同様である。
【００３６】
図６に示すように、本実施形態では、目盛り部材６は、外装部２の胴部２３上に配置、固定されている。そして、この目盛り部材６は、ガラス板２１の外周側で当該ガラス板２１を囲んでいる。このように、目盛り部材６は、時計１の外装部２の一部、すなわち、ベゼルとして機能している。これにより、目盛り部材６の配置位置が異なる時計１を容易に製造することができ、よって、低コストでデザインバリエーションに富む時計１を得る。
【００３７】
＜第３実施形態＞
図７は、本発明の時計を腕時計に適用した場合（第３実施形態）の当該腕時計の部分断面図である。
以下、この図を参照して本発明の時計の第３実施形態について説明するが、前述した実施形態との相違点を中心に説明し、同様の事項はその説明を省略する。
本実施形態は、目盛り部材の配置位置が異なること以外は前記第１実施形態と同様である。
【００３８】
図７に示すように、本実施形態では、目盛り部材６は、外装部２の胴部２３の段差部２３１上に配置、固定されている。そして、この目盛り部材６は、表側の面６３でガラス板２１をその裏側から支持している。このように、目盛り部材６は、時計１の外装部２の一部として機能している。これにより、目盛り部材６の配置位置が異なる時計１を容易に製造することができ、よって、低コストでデザインバリエーションに富む時計１を得る。
【００３９】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、本発明の時計は、前記各実施形態のうちの、任意の２以上の構成（特徴）を組み合わせたものであってもよい。
【符号の説明】
【００４０】
１……腕時計（時計）  ２……外装部（ケース）  ２１……ガラス板（透明基板）  ２３……胴部  ２３１……段差部  ２４……りゅうず  ２５……裏蓋  ２６……中枠  ２６１……バネ部  ３……ムーブメント  ３１……時計用針（指針）  ３２……上面  ３３……軸部  ３３１……歯車  ３５……係合部  ３６……挿入部  ４……バンド  ５……太陽電池  ５２……挿通孔  ５３……表側の面（受光面）  ５５ａ、５５ｂ……欠損部  ６……目盛り部材  ６１……目盛り  ６２……テーパ部  ６３……表側の面  ７、７Ａ、７Ｂ、７Ｃ……固定部材  ７１ａ、７１ｂ……固定部  ７１１……爪  ７３……本体部  ７４……表側の面  ７５……裏側の面  ７６ａ、７６ｂ……ピン  ７９……挿入孔  １０……組立体  １１……間隙
【図１】
2011163876.tif 000003
【図２】
2011163876.tif 000004
【図３】
2011163876.tif 000005
【図４】
2011163876.tif 000006
【図５】
2011163876.tif 000007
【図６】
2011163876.tif 000008
【図７】
2011163876.tif 000009